(57)【特許請求の範囲】
【請求項１】
装置本体と；
可視光通信信号を受信する可視光信号受信部と；
複数の照明器具に対応するキーが設けられ、キー操作に応じて無線通信信号を生成する操作部と；
前記操作部のキー操作に応じて無線通信信号を送信する無線送信部と；
操作部の前記複数のキーのいずれかにおいて所定操作がなされたときに照明器具に対して一時的点灯を要求する要求信号を無線送信部から送信し、可視光信号受信部により受信された信号から送信側装置の識別情報を取り出し、該当するキーに対応させて制御する照明器具の識別情報を記憶しておくと共に、この記憶された識別情報を含む照明制御情報を操作部の通常キー操作に応じて無線送信部から無線通信信号として送信する制御部と；
を具備することを特徴とするリモコン装置。
【請求項２】
制御部は、操作部において所定操作がなされたときに、識別情報を要求する要求信号を無線送信部から送信することを特徴とする請求項１に記載のリモコン装置。
【請求項３】
器具本体と、可視光を照射する光源と、自装置の識別情報を変調して、光源から可視光通信信号として送信する可視光信号送信部と、可視光信号送信部による自装置の識別情報の送信を制御する通信制御部と、照明制御信号を受信する無線受信部と、無線受信部により受信された照明制御信号に基づき、光源を制御する照明制御部と、を具備した照明器具と；
請求項１または２に記載のリモコン装置と；
を具備することを特徴とする照明システム。
【発明の詳細な説明】
【技術分野】
【０００１】
この発明は、照明制御信号を受信して照明状態を変更する照明器具に対し照明状態の制御情報を送信するリモコン装置、及び照明器具とリモコン装置とを含む照明システムに関するものである。
【背景技術】
【０００２】
複数の照明器具が設置されている照明環境において、これらの照明器具を個別に制御するためには信号伝送により照明を制御・監視する照明システムを導入する必要があった。この場合に、所要の照明器具をリモコンにより操作するためには、リモコンに所要照明器具の識別情報を設定する必要がある。
【０００３】
この識別情報の設定に関しては、予め複数の識別情報を記憶しておき、複数の識別情報の一つを順次選択し、この識別情報を照明器具に送信して照明器具を動作させて、リモコンに当該識別情報を設定するものが知られている（特許文献１参照）。
【０００４】
しかしながら、上記リモコンによると、予め複数の識別情報を記憶させる必要があり、煩わしいという問題がある。また、既存の照明器具を交換する場合には新な照明器具の識別情報がリモコンに記憶されていないため、新な照明器具に対する制御を当該リモコンから行えないという問題も生じる。
【特許文献１】特開２００２−２３１４６４号公報
【発明の開示】
【発明が解決しようとする課題】
【０００５】
本発明は、上記のような複数の照明器具が設置され、これをリモコンにて制御する照明環境における問題点に鑑みなされたもので、その目的は、予め記憶させた複数の識別情報を一つずつ選択して、照明器具を動作させて設定するという煩わしい作業が不要であり、また、新な照明器具が導入された場合にも対応することができるリモコン装置を提供することである。また、このリモコン装置により制御される照明器具とリモコン装置により構成される照明システムを提供する。
【課題を解決するための手段】
【０００６】
本発明に係るリモコン装置は、装置本体と；可視光通信信号を受信する可視光信号受信部と；複数の照明器具に対応するキーが設けられ、キー操作に応じて無線通信信号を生成する操作部と；前記操作部のキー操作に応じて無線通信信号を送信する無線送信部と；操作部の前記複数のキーのいずれかにおいて所定操作がなされたときに照明器具に対して一時的点灯を要求する要求信号を無線送信部から送信し、可視光信号受信部により受信された信号から送信側装置の識別情報を取り出し、該当するキーに対応させて制御する照明器具の識別情報を記憶しておくと共に、この記憶された識別情報を含む照明制御情報を操作部の通常キー操作に応じて無線送信部から無線通信信号として送信する制御部と；を具備することを特徴とする。
【０００７】
無線通信信号とは、電波または赤外線や可視光などの光を媒体として行う無線通信に使用される信号である。
【０００８】
本発明に係るリモコン装置では、制御部は、操作部において所定操作がなされたときに、識別情報を要求する要求信号を無線送信部から送信することを特徴としている。
【０００９】
本発明に係るリモコン装置では、操作部には複数の照明器具に対応するキーが設けられており、制御部は、各キーに対応させて制御する照明器具の識別情報を記憶しておくことを特徴とする。
【００１０】
本発明に係る照明システムは、器具本体と、可視光を照射する光源と、自装置の識別情報を変調して、光源から可視光通信信号として送信する可視光信号送信部と、可視光信号送信部による自装置の識別情報の送信を制御する通信制御部と、照明制御信号を受信する無線受信部と、無線受信部により受信された照明制御信号に基づき、光源を制御する照明制御部と、を具備した照明器具と；請求項１または２に記載のリモコン装置と；を具備することを特徴とする。
【００１１】
照明器具は、可視光を照射する光源を有しており、例えば、ＬＥＤ、電球、蛍光灯など各種の光源を採用可能である。無線通信信号は、赤外線通信信号や無線通信信号を採用することができる。「照明制御信号」とは、光源のオンオフや調光制御を含むものである。なお、照明制御信号を受信する受信部は、リモコン装置から直接無線通信信号を受信する構成であっても良いし、伝送線、電力線、無線等の通信媒体を介して受信する構成であっても良い。
【発明の効果】
【００１２】
本発明に係るリモコン装置は、可視光信号受信部により受信された信号から送信側装置の識別情報を取り出し、保持すると共に、この保持された識別情報を含む照明制御情報を操作部の操作に応じて無線送信部から送信するので、可視光通信の機能を備えた所望する任意の照明器具の識別情報を取得し設定することができ、設定した識別情報を用いて照明制御を行うことが可能である。
【００１３】
本発明に係るリモコン装置は、操作部において所定操作がなされた場合に、識別情報を要求する要求信号を無線送信部から送信するので、所望のときに識別情報を要求することができる。
【００１４】
本発明に係るリモコン装置では、操作部には複数の照明器具に対応するキーが設けられており、制御部は、各キーに対応させて制御する照明器具の識別情報を記憶しておくので、複数の照明器具の照明制御を行うことが可能である。
【００１５】
本発明に係る照明システムでは、器具本体と、可視光を照射する光源と、自装置の識別情報を変調して、光源から可視光通信信号として送信する可視光信号送信部と、可視光信号送信部による自装置の識別情報の送信を制御する通信制御部と、照明制御信号を受信する無線受信部と、無線受信部により受信された照明制御信号に基づき、光源を制御する照明制御部と、を具備した照明器具と；請求項１または２に記載のリモコン装置と；を具備するので、所望する任意の照明器具の識別情報を設定可能であり、設定した識別情報を用いて照明制御を行うことが可能である。また、所望のときに識別情報を要求することができる。
【発明を実施するための最良の形態】
【００１６】
以下、添付図面を参照して本発明に係る照明器具、リモコン装置及び照明システムの実施例を説明する。各図において、同一の構成要素には同一の符号を付して重複する説明を省略する。図１に、本発明に係る照明器具１０の実施例の構成図を示す。照明器具１０の器具本体１０ａは、無線受信部として赤外線受信部１１を備えると共に、照明のための可視光を照射する光源であるＬＥＤ１２を備えている。上記赤外線受信部１１は受信した信号をデータ化して制御部１３へ送出する。また、ＬＥＤ１２は、可視光通信信号を送信する可視光信号送信部として機能するもので、自装置の識別情報を変調して、可視光通信信号として送信する場合に用いられる。
【００１７】
照明器具１０は制御部１３が照明制御及び可視光通信の制御を行う。即ち、制御部１３は、可視光信号送信部であるＬＥＤ１２による自装置の識別情報の送信を制御する通信制御部として機能する。また、制御部１３は、赤外線受信部により受信された信号に基づき、電源部１４から光源であるＬＥＤ１２への電力供給を制御する電力供給制御部として機能する。
【００１８】
更に、電源部１４は、商用電源２１から供給される交流電流を直流として所定の電圧に変換し、制御部１３やＬＥＤ１２などへ与える。上記赤外線受信部１１は受信した信号をデータ化して制御部１３へ送出する。
【００１９】
図２に、本発明に係るリモコン装置３０の実施例の構成図を示す。リモコン装置３０の装置本体３０ａは、当該装置を統括制御する制御部３１を備えており、制御部３１には、操作部３２、赤外線送信部３３、データ復調部３４が接続されている。
【００２０】
操作部３２には、照明器具の照明状態を制御するキーが設けられており、キー操作信号は制御部３１に取り込まれる。データ復調部３４には、可視光信号受光部３５が接続されている。可視光信号受光部３５は可視光信号を受信して電気信号に変換するものであり、変換された電気信号はデータ復調部３４へ送られる。データ復調部３４は、電気信号をデータ化して制御部３１へ送信する。
【００２１】
制御部３１は、可視光信号受光部３５により受信された信号から送信側装置である照明器具の識別情報を取り出し、保持すると共に、この保持された識別情報を含む照明制御情報を操作部３２におけるキー操作に応じて赤外線送信部３３から送信する。
【００２２】
この実施例では、操作部３２には図３に示すように複数の照明器具に対応するキー３−１〜３−３が設けられており、制御部３１は、各キー３−１〜３−３に対応させて制御する照明器具の識別情報を記憶しておくものである。ここで、制御部３１は、各キー３−１〜３−３の一つのキーに対して複数の照明器具を対応付けすることができる。
【００２３】
以上のように構成された照明器具１０（１０−１〜１０−ｎ）とリモコン装置３０により、図４に示されるような照明システムを構成することができる。即ち、商用電源２１に照明器具１０−１〜１０−ｎが接続され、電力供給を得ている。照明器具１０−１〜１０−ｎは、図１に示した通りの構成を有し、それぞれにユニークな識別情報が設定されている。
【００２４】
照明器具１０−１〜１０−ｎの処理を示すフローチャートを図５（ａ）に示し、リモコン装置３０の処理を図５（ｂ）に示す。即ち、スイッチがオンとされると、制御部１３はＬＥＤ１２を点灯すると共に、変調により設定されている識別情報を可視光通信信号として送信する（Ｓ１１）。
【００２５】
操作者は、リモコン装置３０を手に持ちながら識別情報を設定する照明器具の例えば直下へ赴き、リモコン装置３０を当該照明器具へ向けてかざすなどし、当該照明器具に対応付けるべきキーを用いて通常の操作と異なる操作をする。例えば、照明器具１０−１へ向けてリモコン装置３０をかざしながら、キー３−１を所定時間（３秒）以上押し続ける。制御部３１は、通常の操作がなれたか又は通常以外の所定操作がなされたかを検出している（Ｓ２１）。
【００２６】
上記のキー３−１が所定時間（３秒）以上押し続けられる操作を受けて、リモコン装置の制御部３１は、可視光信号受光部３５により受信されデータ復調部３４によりデータ化された識別情報を受け取り、キー３−１の情報と上記照明器具１０−１の識別情報を対応付けて記憶する（Ｓ２２）。必要に応じて残りのキー３−２と３−３についても同様にして、制御対象とする照明器具の識別情報が対応付けられて記憶される。
【００２７】
リモコン装置３０を用いて、キー３−１について例えば照明器具１０−１を点灯させる通常の操作を行うと、ステップＳ２１において操作監視を行っている制御部３１は、ステップＳ２３へ進み、キー３−１の情報に対応付けられて記憶されている照明器具１０−１の識別情報を取り出し、この識別情報と共に制御情報（点灯を指示する情報）を赤外線送信部３３を介して赤外線信号として送信する（Ｓ２３）。
【００２８】
照明器具１０−１では、制御部１３が赤外線受信部１１を介して情報の取り込みを行っており（Ｓ１２）、取り込んだ情報に含まれる識別情報が自装置の識別情報と一致するかを検出し（Ｓ１３）、不一致となるとステップＳ１１へ戻って処理を行うが、一致した場合には制御情報に従ってＬＥＤ１２の照明制御（ここでは、点灯制御）を行う（Ｓ１４）。
【００２９】
上記のように、照明器具１０−１〜１０−ｎとリモコン装置３０とが構成されているので、制御すべき照明器具の直下など近隣へ赴き、リモコン装置３０の操作部３２において所定の操作をすることにより、制御すべき照明器具の識別情報を設定することができる。このようにして識別情報が設定されたリモコン装置３０を用いて、所要の照明器具に対する照明制御を行うことができる。
【００３０】
上記の実施例では、リモコン装置３０に制御対象とする照明器具の識別情報が設定されていない場合において、照明器具１０−１〜１０−ｎが消灯状態のときには、リモコン装置３０を用いて点灯を行うことができず、制御対象とする照明器具に備えられたスイッチを操作するなどして該当照明器具を点灯させる必要がある。そこで、上記実施例の変形例に係る照明器具１０−１〜１０−ｎは識別情報を含まない強制点灯の制御情報を赤外線受信部１１から受信した場合には、一時的に点灯するように構成し、照明器具１０−１〜１０−ｎとリモコン装置３０とは、図６（ａ）、（ｂ）のフローチャートに示す動作を行うように構成する。
【００３１】
ここでは、照明器具１０−１とリモコン装置３０について説明を行う。例えば、照明器具１０−１へ向けてリモコン装置３０をかざしながら、キー３−１を所定時間（３秒）以上押し続けた場合に、制御部３１は、ステップＳ２１からステップＳ３１へ進み、赤外線送信部３３を介して照明器具１０−１に対し強制点灯させる制御情報を赤外線信号として送信する（Ｓ２３）。
【００３２】
照明器具１０−１では、制御部１３が赤外線受信部１１を介して情報の取り込みを行っており（Ｓ１２）、ここでＮＯへ分岐した場合に、識別情報を含まない強制点灯の制御情報であるかを検出し（Ｓ４１）、ＹＥＳとなると一時的にＬＥＤ１２を点灯する共に、変調により設定されている識別情報を可視光通信信号として送信する（Ｓ４２）。
【００３３】
上記以外の処理は図５に示したもの同一である。このように、所望の照明器具について強制点灯を行うことができるので、リモコン装置３０に制御対象とする照明器具の識別情報が設定されていない場合において、照明器具１０−１〜１０−ｎが消灯状態のときには、強制点灯させて識別情報を設定することができる。
【００３４】
なお、上記実施例では、リモコン装置から送信された赤外線信号を受信する受信部が照明器具に設けられているが、通信媒体としての電力線または伝送線などに接続されて、これらの通信媒体またはその他の生後機器を介して照明制御信号を受信する構成であっても良い。
【図面の簡単な説明】
【００３５】
【図１】本発明に係る照明器具の実施例の構成図。
【図２】本発明に係るリモコン装置の実施例の構成図。
【図３】本発明に係るリモコン装置の実施例の斜視図。
【図４】本発明に係る照明器具とリモコン装置とを用いて構成した照明システムの実施例の構成図。
【図５】本発明に係る照明器具とリモコン装置とを用いて構成した照明システムにおける実施例の動作を説明するためのフローチャート。
【図６】本発明に係る照明器具とリモコン装置とを用いて構成した照明システムにおける実施例に対する変形例の動作を説明するためのフローチャート。
【符号の説明】
【００３６】
３−１〜３−３  キー
１０、１０−１〜１０−ｎ  照明器具
１０ａ  器具本体
１１  赤外線受信部
１２  ＬＥＤ
１３  制御部
１４  電源部
２１  商用電源
３０  リモコン装置
３０ａ  装置本体
３１  制御部
３２  操作部
３３  赤外線送信部
３４  データ復調部
３５  可視光信号受光部
【図１】
0005119791.tif 000002
【図２】
0005119791.tif 000003
【図３】
0005119791.tif 000004
【図４】
0005119791.tif 000005
【図５】
0005119791.tif 000006
【図６】
0005119791.tif 000007